(57)【要約】【課題】空気の吹出口に風向きを制御するためのフィンを持たずに、簡単な構造で風向きを効率良く制御し、組込み先の構造物の意匠性を向上させる【解決手段】空気の吹出口（22）が設けられた外筒体（15）に、その内部に流入した空気を吹出口（22）に向かって下向きに流れる下向き気流と、吹出口（22）に向かって上向きに流れる上向き気流とにして、互いに交差する方向に導く上側傾斜壁（31）と下側傾斜壁（33）とを設け、これら一対の傾斜壁（31, 33）の間に下向き気流と上向き気流との風量比率を上下方向へのスライド動作を以て調節可能な流路規制体（19）を設ける。【選択図】図８
2016007886.tif 000002
【特許請求の範囲】
【請求項１】
空気が流入される内部空間（15s）を有し、該内部空間（15s）に流入した空気を外部に吹き出す吹出口（22）が周壁（15a）に設けられた筒状の吹出筒体（15）を備え、
前記吹出筒体（15）の吹出口（22）は、当該吹出筒体（15）の長手方向と直交する第１の方向に突出した突出吹出部（23）の突出端に形成され、
前記突出吹出部（23）は、前記吹出筒体（15）の長手方向と前記第１の方向とに直交する第２の方向における前記吹出口（22）の両側で互いに対向する一対の対向壁（31, 33）を有し、
前記一対の対向壁（31, 33）における前記突出吹出部（23）の内側に臨む内面（31a, 33a）同士は、前記突出吹出部（23）の基端側から前記吹出口（22）に向かって互いに接近し、一方の前記対向壁（31）の内面（31a）に沿って流れる第１の気流と、他方の前記対向壁（33）の内面（33a）に沿って流れる第２の気流とを、前記吹出口（22）に向かって互いに交差する方向に導き、
前記一対の対向壁（31, 33）の間には、当該一対の対向壁（31, 33）の間の空気流路（23s）を前記第１の気流の流路（24a）と前記第２の気流の流路（24b）とに仕切りこれら両流路（24a, 24b）の流路面積を規制する流路規制体（19）が、前記第２の方向においてスライド可能に設けられ、
前記流路規制体（19）のスライド動作を操作するスライド操作手段（79）をさらに備え、
前記スライド操作手段（79）で前記流路規制体（19）をスライド移動させることにより、前記第１の気流の風量と前記第２の気流の風量との比率が変動し、前記吹出口（22）から吹き出る風の向きが前記吹出筒体（15）の長手方向と直交する方向で変えられる
ことを特徴とする送風装置。
【請求項２】
請求項１に記載された送風装置において、
前記流路規制体（19）は、前記各対向壁（31, 33）の内面（31a, 33a）に対して平行又は略平行な姿勢で対向する一対の規制壁（67, 69）を有し、これら一対の規制壁（67, 69）を一体にスライド可能に構成されている
ことを特徴とする送風装置。
【発明の詳細な説明】
【技術分野】
【０００１】
本開示は、風向きを調節可能な送風装置に関する。
【背景技術】
【０００２】
特許文献１には、空気の吹出口に縦フィンを設けることなく左右方向への風向きを調節可能な吹出しグリル装置が開示されている。このグリル装置は、グリル本体に形成された風の主流路の出口である吹出口に風向きを上下方向に調節するための横フィンを備えると共に、主流路の左右両側にそれぞれダンパが設けられた副流路を有し、これら副流路のダンパをダイヤル機構によって選択的に開閉することにより、副流路からの風を主流路に供給して吹出口から吹き出される風の向きを左右方向に調節するようになっている。
【先行技術文献】
【特許文献】
【０００３】
【特許文献１】実公平４−５２６０７号公報
【発明の概要】
【発明が解決しようとする課題】
【０００４】
しかしながら、特許文献１のグリル装置では、依然として吹出口が上下方向に広く開口した形状であり、その吹出口に複数枚の横フィンを外部から視認される状態で備えているため、当該グリル装置が込み込まれるインストルメントパネルで吹出口の存在が際立ち、これに起因してインストルメントパネルのデザインの連続性が途切れ、同パネルの意匠性が損なわれてしまう。
【０００５】
さりとて、特許文献１のグリル装置で左右方向に風向きを調節する構成を上下方向に風向き調節する構成に適用して、吹出口に横フィンを持たない構造を実現しようとする場合には、主流路の他に少なくとも上下に２つの副流路を必要とすることに加え、風量を調節する機構とは別に副流路毎に設けられたダンパと、これらダンパを開閉するダイヤル機構とを必要とするため、部品点数が多く装置構造が複雑になる。
【０００６】
また、吹出口をインストルメントパネルで目立たないようにするためには、当該吹出口の上下方向における開口幅をなるべく狭めることが望ましいが、特許文献１のように吹出口に横フィンを設ける構成では、横フィンを上向きや下向きに傾斜させたときに、吹出口の上下両縁のうち横フィンを傾斜させた側の縁と当該横フィンとの間から吹き出す風が吹出口から横フィンを傾斜させた方向に吹き出る風の流れを阻害する気流となるため、吹出口から吹き出る風の向きを上下方向に効率良く変えることができない。
【０００７】
本発明は、斯かる点に鑑みてなされたものであり、その目的とするところは、空気の吹出口に風向きを制御するためのフィンを持たずに、簡単な構造で風向きを効率良く制御でき、組込み先の構造物の意匠性を向上させることができる送風装置を提供することにある。
【課題を解決するための手段】
【０００８】
上記の目的を達成するために、この発明では、空気の吹出口が設けられた吹出筒体を、その内部に流入した空気が当該吹出筒体の内周面に沿って吹出口のうち当該吹出筒体の長手方向と直交する方向における一方側と他方側とに向かって互いに交差する方向に流れる気流に分けられる構成とし、これら両気流の風量比率を調節可能なように吹出筒体の内部構成を工夫した。
【０００９】
具体的には、本発明は、吹出口から吹き出る風の向きを調節可能な送風装置を対象とし、以下の解決手段を講じたものである。
【００１０】
すなわち、第１の発明は、空気が流入される内部空間を有し、その内部空間に流入した空気を外部に吹き出す吹出口が周壁に設けられた筒状の吹出筒体を備える。この吹出筒体の吹出口は、当該吹出筒体の長手方向と直交する第１の方向に突出した突出吹出部の突出端に形成されている。突出吹出部は、吹出筒体の長手方向と前記第１の方向とに直交する第２の方向における吹出口の両側で互いに対向する一対の対向壁を有する。これら一対の対向壁の互いに対向する内面同士は、突出吹出部の基端側から吹出口に向かって互いに接近し、一方の対向壁の内面に沿って流れる第１の気流と、他方の対向壁の内面に沿って流れる第２の気流とを、吹出口に向かって互いに交差する方向に導く。また、一対の対向壁の間には、当該一対の対向壁の間の空気流路を第１の気流の流路と第２の気流の流路とに仕切りこれら両流路の流路面積を規制する流路規制体が、前記第２の方向においてスライド可能に設けられている。そして、第１の発明は、流路規制体のスライド動作を操作するスライド操作手段をさらに備え、このスライド操作手段で流路規制体をスライド移動させることにより、第１の気流の風量と第２の気流の風量との比率が変動し、吹出口から吹き出る風の向きが吹出筒体の長手方向と直交する方向で変えられることを特徴とする。
【００１１】
第２の発明は、第１の発明の送風装置において、流路規制体が、各対向壁の内面に対して平行な姿勢で対向する一対の規制壁を有し、これら一対の規制壁を一体にスライド可能に構成されていることを特徴とする。
【発明の効果】
【００１２】
第１の発明によれば、吹出筒体をその内部に流入した空気が突出吹出部のうち一対の対向壁の各内面に沿って吹出口へ流れる第１の気流と第２の気流として互いに交差する方向に導かれる構成とし、一対の対向壁の間に設けた流路規制体をこれら一対の対向壁の対向方向にスライド移動させることにより、第１の気流の風量と第２の気流の風量との比率が変動するようにしたから、第１の気流と第２の気流とが吹出口及びその付近で衝突しつつ合流した際の指向性がこれら両気流の風量比率に応じて変えられ、そのことで吹出口から吹き出る風の向きが吹出筒体の長手方向と直交する方向で変えられる。これによって、吹出口に風向きを制御するためのフィンを持たずに、簡単な構造で風向きを効率良く制御することができる。その結果、吹出口が目立たない見た目にシンプルな送風装置を実現でき、この送風装置を組み込んだ構造物の意匠性を向上させることができる。
【００１３】
第２の発明によれば、流路規制体の各規制壁をこれに対向する対向壁の内面と平行な姿勢にしたから、これら両規制壁と対向壁との間の流路を通る第１の気流の風量と第２の気流の風量との比率を流路規制体のスライド動作を以て調節し易く、上下方向での風向きの微調整が可能になり、上下方向に風向きを定め易くなる。また、流路規制体をスライド移動させて一対の対向壁のうちいずれか一方の対向壁に当接させた状態としたときに、その一方の対向壁の内面と流路規制体の規制壁とが面接触で接触するので、第１及び第２の気流のうち規制壁と面接触した対向壁の内面に沿って流れる気流の流路を流路規制体で確実に塞ぐことができ、第１及び第２の気流のうち他方の対向壁の内面に沿って流れる一方の気流の吹出口から吹き出る際の指向性を当該吹出口の正面側に変える他方の気流を無くすことができる。これによって、吹出口からの上下方向における風向きの調節範囲を広げることができる。
【図面の簡単な説明】
【００１４】
【図１】図１は、本発明の実施形態に係る送風装置を含む空調ユニットを備えたインストルメントパネルを車室内から見た正面図である。
【図２】図２は、本発明の実施形態に係る送風装置を構成する空気吹出部の外観斜視図である。
【図３】図３は、図２のIII−III線における空気吹出部の横断面図である。
【図４】図４は、図２のIV−IV線における空気吹出部の縦断面図である。
【図５】図５は、本発明の実施形態に係る送風装置を構成する空気吹出部の分解斜視図である。
【図６】図６（ａ）〜（ｃ）は、本発明の実施形態に係る送風装置での左右方向における風向き制御のバリュエーションの一例を示す空気吹出部の横断面図である。
【図７】図７（ａ），（ｂ）は、本発明の実施形態に係る送風装置での左右方向における風向き制御のバリュエーションの一例を示す空気吹出部の横断面図である。
【図８】図８（ａ）〜（ｃ）は、本発明の実施形態に係る送風装置での上下方向における風向き制御のバリュエーションの一例を示す空気吹出部の縦断面図である。
【図９】図９（ａ），（ｂ）は、本発明の実施形態に係る送風装置での上下方向における風向き制御のバリュエーションの一例を示す空気吹出部の縦断面図である。
【発明を実施するための形態】
【００１５】
以下、本発明に係る実施形態を図面に基づいて詳細に説明する。なお、以下の実施形態は、本質的に好ましい例示であって、本発明、その適用物、或いはその用途の範囲を制限することを意図するものではない。また、以下の実施形態では、説明の便宜上、車両前後方向における前側を「前」、後側を「後」と称し、車高方向における上側を「上」、下側を「下」と称し、車両前方に向いて車幅方向における左側を「左」、右側を「右」と称する。
【００１６】
この実施形態では、本発明に係る送風装置について、これを適用した車両用の空調ユニットを例に挙げて説明する。
【００１７】
図１は、この車両用の空調ユニット１が組み込まれたインストルメントパネル１０１（二点鎖線で示す）のセンター部分から助手席側の部分を車室内から見た正面図である。図１に示すインストルメントパネル１０１は、車室前部でエンジンルームと車室とを区画するダッシュパネルの後方側（車室側）に装備されていて、車幅方向に延びるインパネレインフォースメント（不図示）に支持されて車体に取り付けられている。図示するインストルメントパネル１０１は、いわゆる右ハンドル仕様車用のパネルである。
【００１８】
このインストルメントパネル１０１のうち助手席の前側でグローブボックス（不図示）の上方位置には、同パネル１０１内に設置される空調ユニット１からの風を車室内空間に吹き送る送風口１０３が設けられている。この送風口１０３は、車幅方向に直線状に延びる細長いスリット形状に形成されている。また、インストルメントパネル１０１の車幅方向における中央部分には、空調ユニット１により送風される風の温度や風量などを入力するダイヤル式の入力部を備えた操作パネルやオーディオ機器などのＡＶ機器（不図示）が取り付けられるセンターパネル部１０５が設けられている。
【００１９】
空調ユニット１は、このインストルメントパネル１０１の裏側に搭載され、インストルメントパネル１０１の送風口１０３を通して車室内空間へ空気を吹き送るようになっている。空調ユニット１は、図１に示すように、取り込んだ空気の温度を調節する空調装置３と、車室内又は車外の空気を取り込んで空調装置３に送り込むと共に、この空調装置３で温度調節された調和空気を送風する送風装置５とを備えている。
【００２０】
空調装置３は、インストルメントパネル１０１のうちセンターパネル部１０５の裏側に設置されている。この空調装置３は、図示しないが、例えば冷却用熱交換器と加熱用熱交換器とを備え、センターパネル部１０５に設けられた操作パネルの温度入力部と車室内の温度を検出する温度センサとからの入力信号に基づいて調和空気の目標温度を設定し、両熱交換器のうち少なくとも一方の熱交換器を駆動させることで目標温度に見合った温度の調和空気を生成するようになっている。
【００２１】
送風装置５は、車室内又は車外から取り入れた空気を送風するブロア７と、このブロア７で送風された空気を空調装置３に通す上流側ダクト８と、空調装置３で生成された調和空気を通す下流側ダクト９と、この下流側ダクト９を通して調和空気が流入され、その流入した調和空気を車室内空間に向けて吹き出す吹出口２２が設けられた細長いボックス形状の空気吹出部１１と、吹出口２２から吹き出る風の向きを手動で変えるための操作ノブ７９（図２参照）とを備えている。
【００２２】
すなわち、ブロア７と空調装置３とは上流側ダクト８で接続され、空調装置３と空気吹出部１１とは下流側ダクト９で接続されている。ブロア７は、上流側ダクト８、空調装置３及び下流側ダクト９を順に経由して空気吹出部１１に空気を送風する送風源である。空気吹出部１１は、その長手方向を車幅方向と平行な姿勢にした状態で、インストルメントパネル１０１のうち送風口１０３の直ぐ裏側に設置されている。
【００２３】
図２は、空気吹出部１１の左斜め後方から見た外観斜視図である。図３は、図２のIII−III線における空気吹出部１１の横断面図である。図４は、図２のIV−IV線における空気吹出部１１の縦断面図である。図５は、空気吹出部１１の分解斜視図である。なお、図３では、便宜上、内筒体１３及び流路規制体１９については断面ではなく上側から見た状態を示している。このことは、後に参照する図６（ａ）〜（ｃ）及び図７（ａ），（ｂ）においても同じである。また、図５では、空気吹出部１１を右斜め前方から見た分解状態を示している。
【００２４】
空気吹出部１１は、図２〜図５に示すように、筒状の内筒体１３と、この内筒体１３を長手方向、つまり左右方向においてスライド可能に収容する筒状の吹出筒体である外筒体１５とからなり、これら両筒体１３，１５の間に空気を通す筒間流路１７が設けられた二重筒構造を具備する。また、外筒体１５の内部には、内筒体１３の後方で空気流路の流路面積を規制する流路規制部としての流路規制体１９が、内筒体１３と共に収容されている。
【００２５】
外筒体１５は、空気が流入される内部空間１５ｓを有し、この内部空間１５ｓに流入した空気を外部に吹き出す開口として上記吹出口２２が周壁１５ａに設けられている。具体的には、外筒体１５は、内筒体１３を収容する収容空間２１ｓを内部空間１５ｓの一部として有する筒体収容部２１と、この筒体収容部２１から当該外筒体１５の長手方向と直交する第１の方向である前後方向において助手席側の方向、つまり後方に突出してその突出端に収容空間２１ｓと連通する吹出口２２を有する突出吹出部２３とを備える。突出吹出部２３は、筒体収容部２１の長手方向における全体に亘って形成されている。
【００２６】
また、外筒体１５は、図３に示すように、右端に収容空間２１ｓへ空気を流入する流入口２５が設けられた開口壁２７を有する一方、左端が閉塞壁２９で閉塞されている。流入口２５は、開口壁２７のうち筒体収容部２１に対応する中央部分から右側方に突出し、筒体収容部２１よりも前後上下の寸法が小さな円筒状に形成されている。外筒体１５は、この流入口２５に下流側ダクト９の一端が外嵌め等されることで、下流側ダクト９を介して空調装置３と接続される。
【００２７】
外筒体１５の筒体収容部２１を形成する周壁１５ａ部分は、図４に示すように、内筒体１３の外周面の形状に倣って湾曲し、突出吹出部２３側に開放した縦断面Ｕ字状に形成されている。この筒体収容部２１の内周面と内筒体１３の外周面との間隔は、内筒体１３の上側半体と下側半体とで上下対称となっている。すなわち、筒体収容部２１の筒間流路１７のうち上側半分の流路と下側半分の流路とは、当該筒体収容部２１の内周面に沿って同じ流路面積を有する。
【００２８】
そのことで、空気吹出部１１は、外筒体１５の収容空間２１ｓに流入した調和空気を、筒体収容部２１の筒間流路１７を突出吹出部２３の吹出口２２に向かって外筒体１５の内周方向における上側回り（空気吹出部１１を左側から見て時計回り）に流れる第１の気流としての上回り気流と、外筒体１５の内周方向における下側回り（空気吹出部１１を左側から見て反時計回り）に流れる第２の気流としての下回り気流とに均等に分けるようになっている。
【００２９】
突出吹出部２３は、図２及び図４に示すように、台形状の両端面を形成する中空の四角柱において互いに平行な一対の周側面のうち面積の広い方の壁面を開放したような形状を有している。具体的には、突出吹出部２３は、外筒体１５の長手方向（左右方向）と前後方向とに直交する第２の方向である上下方向に対向する一対の対向壁としての上側傾斜壁３１及び下側傾斜壁３３と、これら上側傾斜壁３１と下側傾斜壁３３との間の流路空間２３ｓを左右両側で塞ぐ一対のサイド壁３５，３７と、これら上側傾斜壁３１、下側傾斜壁３３及び一対のサイド壁３５，３７の突出端で囲まれた箇所に設けられた後端壁３９とで構成されている。
【００３０】
突出吹出部２３のうち一対のサイド壁３５，３７の間の間隔は一定であって、上側傾斜壁３１と下側傾斜壁３３との間隔だけが後端壁３９、つまり突出端に向かって狭まっている。一対のサイド壁３５，３７のうち左側のサイド壁３５は閉塞壁２９の一部であり、右側のサイド壁３７は開口壁２７の一部である。吹出口２２は、後端壁３９のうち左右両端部を除いた部分に、外筒体１５の長手方向において細長く延びるスリット状に形成されており、流入口２５から収容空間２１ｓに流入した調和空気を筒間流路１７を通して外部に吹き出す。
【００３１】
この吹出口２２は、風向きを制御するためのフィンを持たないシンプルな開口であって、インストルメントパネル１０１の送風口１０３と前後方向において対応している。吹出口２２と送風口１０３とは、図示しないが、これら吹出口２２及び送風口１０３の両周縁部に全周に亘って密着する軟質のシール部材を挟み込んで接続されている。そのことで、製品誤差や組付けのばらつきによって吹出口２２と送風口１０３との間に隙間が形成されるのを防止している。
【００３２】
また、上側傾斜壁３１と下側傾斜壁３３とは、吹出口２２を境として上下方向における両側に位置しており、吹出口２２の開口中心線Ｃに対してそれぞれ傾斜している。上側傾斜壁３１は、外筒体１５の筒体収容部２１から後方に向かって斜め下方に延びている。他方、下側傾斜壁３３は、外筒体１５の筒体収容部２１から後方に向かって斜め上方に延びている。これら上側傾斜壁３１と下側傾斜壁３３との間には、収容空間２１ｓと連続する空気流路である流路空間２３ｓが外筒体１５の内部空間１５ｓの一部として形成されている。
【００３３】
そして、上側傾斜壁３１及び下側傾斜壁３３における突出吹出部２３の内側に臨む内面３１ａ，３３ａ同士は、突出吹出部２３の基端側から吹出口２２に向かって互いに接近しており、上回り気流と下回り気流とを吹出口２２に向かって互いに交差する方向に導くようになっている。上側傾斜壁３１の内面３１ａは、筒体収容部２１に流れる上回り気流を吹出口２２に向かって斜め下方に導き、当該内面３１ａ沿いに下向きに流れる下向き気流とする。他方、下側傾斜壁３３の内面３３ａは、筒体収容部２１に流れる下回り気流を吹出口２２に向かって斜め上方に導き、当該内面３３ａ沿いに上向きに流れる上向き気流とする。
【００３４】
また、外筒体１５の内周面うち上側傾斜壁３１及び下側傾斜壁３３の各基端と筒体収容部２１との境界部分には、図４及び図５に示すように、当該外筒体１５の長手方向（左右方向）において直線状に延びるスライドガイド溝４１が上下方向に対応させて一対に設けられている。外筒体１５の周壁１５ａのうち各スライドガイド溝４１が設けられた部分は、その内側がスライドガイド溝４１で凹んでいる分だけ外方に突出しており、外筒体１５の長手方向において直線状に延びる突条部４３を形成している。
【００３５】
上記外筒体１５は、図２及び図５に示すように、上下方向において半割状に分割された樹脂製の上側分割体１６Ａと樹脂製の下側分割体１６Ｂとで構成されている。下側分割体１６Ｂの上端における外周縁部には、上方に向けて開口した挿入孔４４を有する複数のネジ留め突部４５が、外方に突出させて設けられており、下側分割体１６Ｂの周方向に間隔をあけて配置されている。他方、上側分割体１６Ａの下端における外周縁部のうち下側分割体１６Ｂのネジ留め突部４５に対応する箇所には、上下方向に貫通する挿通孔４６を有する小片板状の締結片４７が外方に突出させて設けられている。
【００３６】
そして、これら上側分割体１６Ａと下側分割体１６Ｂとは、各締結片４７の挿通孔４６を挿通させたタッピングネジ４９を当該締結片４７に対応するネジ留め突部４５の挿入孔４４にねじ込むことで、互いにネジ留めされて一体に連結されている。なお、ネジ留め突部４５と締結片４７とは、上側分割体１６Ａと下側分割体１６Ｂのうち互いに逆の分割体に設けられていてもよい。すなわち、ネジ留め突部４５が上側分割体１６Ａに設けられ、締結片４７が下側分割体１６Ｂに設けられていても構わない。
【００３７】
内筒体１３は、流路規制体１９と共に、これら上側分割体１６Ａと下側分割体１６Ｂとの間に収め入れられて一体に組み込まれている。この内筒体１３は、両端が開放したストレートな円筒形状の筒体本体５１と、この筒体本体５１を外筒体１５の内部で保持する筒体保持部５３とを備え、これら筒体本体５１と筒体保持部５３とが射出成形などで一体に成形された樹脂成形品である。
【００３８】
内筒体１３の筒体本体５１は、図３〜図５に示すように、流入口２５の内径よりも大きな外径を有している。また、筒体本体５１は、外筒体１５の収容空間２１ｓでのスライド移動を可能にすべく、外筒体１５の周壁１５ａのうち開口壁２７と閉塞壁２９との間の長さよりも長手方向に短く形成されている。この筒体本体５１の両開放端のうち右側開放端の開口５１ａは、外筒体１５の開口壁２７に向けられて流入口２５に対応している。また、この筒体本体５１における左側開放端の開口５１ｂは、外筒体１５の閉塞壁２９に向けられている。
【００３９】
そして、内筒体１３の筒体本体５１は、右側の開放端だけに、径方向内側へ突出した環状の絞り突片５５を有している。この絞り突片５５は、内筒体１３を収容空間２１ｓの左右方向における中央位置に配置させたときに、流入口２５から内筒体１３の筒体本体５１内に流入する空気量と、当該筒体本体５１内に流入しない空気量、つまり筒体本体５１の外側の筒間流路１７に流れる空気量とが同じ程度になるように、当該筒体本体５１内に流入する空気量を適度に制限するものである。
【００４０】
内筒体１３の筒体保持部５３は、筒体本体５１の左右両端部の後側に一対に設けられている。これら各筒体保持部５３は、上下方向に延びる長方形板状の支持板５７と、この支持板５７と内筒体１３の上下端とを連結する一対の連結補強部５８とを有し、支持板５７がその幅方向を内筒体１３の長手方向に沿わせて筒体本体５１と一体に形成された構造を具備する。
【００４１】
各支持板５７は、内筒体１３の筒体本体５１の外径よりも長く、この筒体本体５１よりも上下両側に突出している。この支持板５７のうち筒体本体５１よりも上方に突出した部分は、外筒体１５の上側のスライドガイド溝４１にスライド自在に嵌入するスライドガイド片５７ａを形成している。他方、支持板５７のうち筒体本体５１よりも下方に突出した部分は、外筒体１５の下側のスライドガイド溝４１にスライド自在に嵌入するスライドガイド片５７ｂを形成している。
【００４２】
内筒体１３は、これら上下両側にある一対のスライドガイド片５７ａ，５７ｂを外筒体１５のスライドガイド溝４１に嵌入させることで、外筒体１５の内周面から筒体本体５１を浮かせて収容空間２１ｓのうち上下方向における真ん中で突出吹出部２３寄りの位置に保持されている。そして、内筒体１３は、スライドガイド片５７ａ，５７ｂをスライドガイド溝４１内で摺動させることにより、筒体本体５１の左側開放端が閉塞壁２９に当接する最左位置と、筒体本体５１の右側開放端が開口壁２７に当接する最右位置との間でスライドさせることが可能になっている。
【００４３】
空気吹出部１１では、内筒体１３を最左位置に配置させたとき、この内筒体１３の筒体本体５１内に空気が滞留し、外筒体１５の収容空間２１ｓに流入した調和空気の殆どが、当該筒体本体５１の内部に流入せずに筒間流路１７を開口壁２７側から吹出口２２に流れる左向き気流を形成する（図６（ａ）参照）。また、内筒体１３を最右位置に配置させたとき、外筒体１５の収容空間２１ｓに流入した調和空気の全てが、当該筒体本体５１の内部を通過して筒間流路１７を閉塞壁２９側から吹出口２２に流れる右向き気流を形成する（図６（ｂ）参照）。そして、内筒体１３をこれら最左位置及び最右位置以外のスライド可能位置に配置させたとき、つまり内筒体１３の筒体本体５１の両開放端が外筒体１５の開口壁２７及び閉塞壁２９からそれぞれ離間した状態にあるとき、外筒体１５の収容空間２１ｓに流入した調和空気が、その内筒体１３の左右のスライド位置に応じた風量で上記左向き気流と上記右向き気流とに分けられる（図６（ｃ）及び図７（ａ），（ｂ）参照）。
【００４４】
流路規制体１９は、内筒体１３の筒体保持部５３に対し上下方向においてスライド可能に取り付けられており、外筒体１５内部の内筒体１３よりも吹出口２２側、つまり突出吹出部２３内において上側傾斜壁３１と下側傾斜壁３３との間に配置されている。この流路規制体１９は、中空の三角柱において１つの側壁面を開放したような形状を有する規制体本体６１と、この規制体本体６１を内筒体１３に保持させるための保持ガイド段部６３と、操作ノブ７９を構成するノブ用突出片６５とを備え、これら規制体本体６１と保持ガイド段部６３とノブ用突出片６５とが射出成形などで一体に成形された樹脂成形品である。
【００４５】
規制体本体６１は、互いに傾斜した姿勢で上下方向に対向する上側規制壁６７及び下側規制壁６９と、これら上側規制壁６７と下側規制壁６９との間を左右両側で塞ぐ一対のサイド壁７１，７３とで構成されていて、外筒体１５の突出吹出部２３内の流路空間２３ｓ、つまり上側傾斜壁３１及び下側傾斜壁３３と内筒体１３との間の筒間流路１７を下向き気流の流路２４ａと上向き気流の流路２４ｂとに仕切っていて、これら両流路２４ａ，２４ｂの流路面積を規制している。流路規制体１９は、この規制体本体６１による仕切り位置をスライド動作で可変に設けられている。
【００４６】
上側規制壁６７及び下側規制壁６９は共に、外筒体１５の長手方向に延びる横長の長方形板状に形成されている。上側規制壁６７は、外筒体１５の突出吹出部２３のうち上側傾斜壁３１の内面３１ａに平行な姿勢で対向し、この上側傾斜壁３１との間に下向き気流を通す流路２４ａを形成する。他方、下側規制壁６９は、外筒体１５の突出吹出部２３のうち下側傾斜壁３３の内面３３ａに平行な姿勢で対向し、この下側傾斜壁３３との間に上向き気流を通す流路２４ｂを形成する。これら上側規制壁６７と下側規制壁６９との後端同士は、突出吹出部２３内の吹出口２２寄りの位置で一体に連結され、吹出口２２に向いて角張った外向き辺６１ａを形成している。このように、流路規制体１９は、これら一対の規制壁６７，６９を一体にスライド可能に構成されている。
【００４７】
各サイド壁７１，７３は、三角形板状に形成され、上側規制壁６７の前端部と下側規制壁６９の前端部との間で上下方向に延びる前縁部７１ａ，７３ａを有する。保持ガイド段部６３は、これら各サイド壁７１，７３の前縁部７１ａ，７３ａに、側方へ突出する凸状に設けられ、上下方向において直線状に延びている。この保持ガイド段部６３は、規制体本体６１とは反対側に位置する外側面に、斜め前方に臨むガイド面６３ａを有する。内筒体１３の各支持板５７のうち筒体本体５１の後側に対応する部分には、保持ガイド段部６３に引っ掛かる複数の係止爪７５が、後方へ突出し、上下方向において互いに間隔をあけて設けられている。
【００４８】
これら各係止爪７５は、後端側が内筒体１３の長手方向における中央側に向かって曲がった鉤状をなしており、内筒体１３の斜め後方内側に臨む当接面７５ａを有し、支持板５７との間に、保持ガイド段部６３が嵌合する嵌合凹部７６を形成している。この嵌合凹部７６の前後方向における幅は、保持ガイド段部６３の前後方向における幅と同程度である。そして、各係止爪７５は、当接面７５ａが保持ガイド段部６３のガイド面６３ａで押圧されたときに、内筒体１３の長手方向における外側に撓み、嵌合凹部７６への保持ガイド段部６３の進入を許容する。これによって、流路規制体１９を、内筒体１３の左右一対の筒体保持部５３に設けられた複数の係止爪７５の間に後側から嵌め入れて、内筒体１３に簡単に取り付けできるようになっている。
【００４９】
流路規制体１９は、このようにして左右両側にある一対の保持ガイド段部６３を嵌合凹部７６に嵌合させ、これら両保持ガイド段部６３に複数の係止爪７５を引っ掛けることで、これら複数の係止爪７５で左右両側から挟み込まれ、両保持ガイド段部６３が嵌合凹部７６内で上下方向において摺動可能な状態で内筒体１３に保持されている。そして、流路規制体１９は、保持ガイド段部６３を嵌合凹部７６内で摺動させることにより、上側規制壁６７が外筒体１５の突出吹出部２３のうち上側傾斜壁３１に当接する最上位置と、下側規制壁６９が外筒体１５の突出吹出部２３のうち下側傾斜壁３３に当接する最下位置との間で上下方向にスライド可能になっている。
【００５０】
空気吹出部１１では、この流路規制体１９を最上位置に配置させたとき、突出吹出部２３での上回り気流の流路２４ａが閉塞すると共に、下回り気流の流路２４ｂの流路面積が最大となり、外筒体１５の収容空間２１ｓに流入した調和空気が突出吹出部２３で全て上向き気流を形成する（図８（ａ）参照）。また、流路規制体１９を最下位置に配置させたとき、突出吹出部２３での下回り気流の流路２４ｂが閉塞すると共に、上回り気流の流路２４ａの流路面積が最大となり、外筒体１５の収容空間２１ｓに流入した調和空気が突出吹出部２３で全て下向き気流を形成する（図８（ｂ）参照）。そして、流路規制体１９を最上位置及び最下位置以外の位置に配置させたとき、つまり上側規制壁６７及び下側規制壁６９が外筒体１５の突出吹出部２３のうち上側傾斜壁３１及び下側傾斜壁３３からそれぞれ離間した状態にあるとき、外筒体１５の収容空間２１ｓに流入した調和空気が、その流路規制体１９による仕切り位置に応じた風量で上向き気流と下向き気流とに分けられる（図８（ｃ）及び図９（ａ），（ｂ）参照）。
【００５１】
ノブ用突出片６５は、この流路規制体１９のうち規制体本体６１の外向き辺６１ａの左右方向における中央部分に後方へ突出させて小片板状に設けられている。このノブ用突出片６５の後側部分には、ゴム製又は樹脂製のカバー部材７７が取り付けられている。操作ノブ７９は、これらノブ用突出片６５とカバー部材７７とで構成され、吹出口２２から送風口１０３を通して外部に突出している。この操作ノブ７９は、スライド操作手段と仕切り位置操作手段とを兼ねており、乗員が摘まんで上下左右にスライドさせることで、内筒体１３の左右のスライド動作と、流路規制体１９の上下のスライド動作、つまり流路規制体１９の仕切り位置の移動動作とを操作できるようになっている。
【００５２】
次に、この送風装置５の風向き制御について、図６〜図９を参照しながら説明する。図６（ａ）〜（ｃ）及び図７（ａ），（ｂ）は、送風装置５での左右方向における風向き制御のバリュエーションの一例を示す空気吹出部１１の横断面図である。図８（ａ）〜（ｃ）及び図９（ａ），（ｂ）は、送風装置５での上下方向における風向き制御のバリュエーションの一例を示す空気吹出部１１の縦断面図である。
【００５３】
まず、図６（ａ）〜（ｃ）及び図７（ａ），（ｂ）を参照しながら、送風装置５の吹出口２２から送風口１０３を通して車室内空間へ吹き出される風の向きを左右方向に制御する動作を説明する。なお、これら図６（ａ）〜（ｃ）及び図７（ａ），（ｂ）において、実線矢印は、空気吹出部１１の内部での調和空気の流れを概略的に示し、白抜き矢印は、外筒体１５の流入口２５から収容空間２１ｓへの調和空気の流れと、空気吹出部１１の吹出口２２から外部に吹き出る調和空気の流れとを概略的に示す。
【００５４】
送風装置５の吹出口２２から吹き出される風を最も左方に向けたい場合には、操作ノブ７９を左側にスライドさせることで、図６（ａ）に示すように、内筒体１３を流路規制体１９ごと左方へスライド移動させて最左位置に配置させる。
【００５５】
そうすると、内筒体１３の左側開放端の開口５１ｂが閉塞壁２９で閉塞されるので、流入口２５から外筒体１５の収容空間２１ｓに流入した調和空気は、内筒体１３の筒体本体５１内に殆ど流入せず、その多くが開口壁２７側で当該筒体本体５１の外側の筒間流路１７に流れる。そして、その収容空間２１ｓの開口壁２７側で筒間流路１７に流れた調和空気は、外筒体１５の内部と外部との気圧差により吹出口２２側に誘導される結果、吹出口２２に向かって斜め左方に流れる左向き気流に変わり、吹出口２２からそのまま斜め左方に吹き出される。こうして、吹出口２２から吹き出される風の向きを最も左方に向けることができる。
【００５６】
また、送風装置５の吹出口２２から吹き出される風を最も右方に向けたい場合には、操作ノブ７９を右側にスライドさせることで、図６（ｂ）に示すように、内筒体１３を流路規制体１９ごと右方へスライド移動させて最右位置に配置させる。
【００５７】
そうすると、外筒体１５の流入口２５が内筒体１３の右側開放端で取り囲まれるので、流入口２５から外筒体１５の収容空間２１ｓに流入した調和空気は、全て内筒体１３の筒体本体５１内に流入し、当該筒体本体５１の内部を通過して収容空間２１ｓを閉塞壁２９側に送られ、閉塞壁２９側から筒間流路１７に流れる。そして、外筒体１５の収容空間２１ｓを閉塞壁２９側から筒間流路１７に流れた調和空気は、外筒体１５の内部と外部との気圧差により吹出口２２側に誘導される結果、吹出口２２に向かって斜め右方に流れる右向き気流に変わり、吹出口２２からそのまま斜め右方に吹き出される。こうして、吹出口２２から吹き出される風の向きを最も右方に向けることができる。
【００５８】
また、送風装置５の吹出口２２から吹き出される風の向きを左右方向における中央に向けたい場合には、操作ノブ７９を左右方向におけるスライド可能幅の中央位置にスライドさせることで、図６（ｃ）に示すように、内筒体１３を外筒体１５の収容空間２１ｓで左右方向における中央位置に配置させる。
【００５９】
そうすると、外筒体１５の収容空間２１ｓに流入した調和空気は、外筒体１５の内部と外部との気圧差により、内筒体１３の筒体本体５１内部を通過せずに筒間流路１７を開口壁２７側から吹出口２２に流れる左向き気流と、内筒体１３の筒体本体５１内部を通過して筒間流路１７を閉塞壁２９側から吹出口２２に流れる右向き気流とに分けられる。そして、これら左向き気流と右向き気流とは、吹出口２２及びその付近で衝突しつつ合流し、吹出口２２から外部に吹き出される。このとき、左向き気流の風量と右向き気流の風量とが同じ程度になるので、これら両気流を生成する調和空気は、吹出口２２から左右方向における中央に向けて吹き出される。こうして、吹出口２２から吹き出される風の向きを左右方向の中央に向けることができる。
【００６０】
また、送風装置５の吹出口２２から吹き出される風の向きを左右方向における中央向きに対して若干左方に向けたい場合には、操作ノブ７９を左右方向におけるスライド可能幅の中央位置から若干左側の位置にスライドさせることにより、図７（ａ）に示すように、内筒体１３を外筒体１５の収容空間２１ｓで左寄りの位置に配置させる。
【００６１】
そうすると、内筒体１３のうち左側開放端の開口５１ｂが閉塞壁２９に近接して閉塞気味になると共に、内筒体１３のうち右側開放端の開口５１ａが開口壁２７から離間してその右側開放端と開口壁２７との間から筒間流路１７に抜ける流路が相対的に大きくなる。この場合にも、外筒体１５の収容空間２１ｓに流入した調和空気は、左向き気流と右向き気流とに分けられ、吹出口２２及びその付近で衝突しつつ合流し、吹出口２２から外部に吹き出される。そして、この場合、左向き気流の風量が右向き気流の風量よりも大きくなるので、これら両気流を生成する調和空気は、左向き気流に押されて吹出口２２から左向き加減で吹き出される。こうして、吹出口２２から吹き出される風の向きを若干左方に向けることができる。
【００６２】
また、送風装置５の吹出口２２から吹き出される風の向きを左右方向における中央向きに対して若干右方に向けたい場合には、操作ノブ７９を左右方向におけるスライド可能幅の中央位置から若干右側の位置にスライドさせることにより、図７（ｂ）に示すように、内筒体１３を外筒体１５の収容空間２１ｓで右寄りの位置に配置させる。
【００６３】
そうすると、内筒体１３のうち左側開放端の開口５１ｂが閉塞壁２９から離間してその左側開放端と閉塞壁２９との間から筒間流路１７に抜ける流路が相対的に大きくなると共に、内筒体１３のうち右側開放端の開口５１ａが開口壁２７に近接してその右側開放端と開口壁２７との間から筒間流路１７に抜ける流路が相対的に小さくなる。この場合にも、外筒体１５の収容空間２１ｓに流入した調和空気は、左向き気流と右向き気流とに分けられ、吹出口２２及びその付近で衝突しつつ合流し、吹出口２２から外部に吹き出される。そして、この場合、右向き気流の風量が左向き気流の風量よりも大きくなるので、外筒体１５の収容空間２１ｓに流入された調和空気は、右向き気流に押されて吹出口２２から右向き加減で吹き出される。こうして、吹出口２２から吹き出される風の向きを若干右方に向けることができる。
【００６４】
次に、図８（ａ）〜（ｃ）及び図９（ａ），（ｂ）を参照しながら、送風装置５の吹出口２２から送風口１０３を通して車室内空間へ吹き出される風の向きを上下方向に制御する動作を説明する。なお、これら図８（ａ）〜（ｃ）及び図９（ａ），（ｂ）において、実線矢印は、空気吹出部１１の内部での調和空気の流れを概略的に示し、白抜き矢印は、空気吹出部１１の吹出口２２から外部に吹き出る調和空気の流れを概略的に示している。
【００６５】
送風装置５の吹出口２２から吹き出される風の向きを最も上方に向けたい場合には、操作ノブ７９を押し上げることで、図８（ａ）に示すように、流路規制体１９を上方へスライド移動させて最上位置に配置させる。
【００６６】
そうすると、外筒体１５のうち突出吹出部２３内の下向き気流の流路２４ａが流路規制体１９で閉塞されるので、外筒体１５の収容空間２１ｓに流入した調和空気は、外筒体１５の内部と外部との気圧差により、外筒体１５の内周方向における下側回りに流れて突出吹出部２３で全て上向き気流となり、吹出口２２からそのまま斜め上方に吹き出される。こうして、吹出口２２から吹き出される風の向きを最も上方に向けることができる。
【００６７】
また、送風装置５の吹出口２２から吹き出される風の向きを最も下方に向けたい場合には、操作ノブ７９を押し下げることで、図８（ｂ）に示すように、流路規制体１９を下方へスライド移動させて最下位置に配置させる。
【００６８】
そうすると、外筒体１５のうち突出吹出部２３内の上向き気流の流路２４ｂが流路規制体１９で閉塞されるので、外筒体１５の収容空間２１ｓに流入した調和空気は、外筒体１５の内部と外部との気圧差により、外筒体１５の内周方向における上側回りに流れて突出吹出部２３で全て下向き気流となり、吹出口２２からそのまま斜め下方に吹き出される。こうして、吹出口２２から吹き出される風の向きを最も下方に向けることができる。
【００６９】
また、送風装置５の吹出口２２から吹き出される風の向きを上下方向における中央に向けたい場合には、操作ノブ７９を上下方向におけるスライド可能幅の中央位置にスライドさせることにより、図８（ｃ）に示すように、流路規制体１９を外筒体１５の突出吹出部２３内で上下方向における中央位置に配置させる。
【００７０】
そうすると、外筒体１５の収容空間２１ｓに流入した調和空気は、外筒体１５の内部と外部との気圧差により、外筒体１５の内周方向における上側回りに流れる上回り気流と、外筒体１５の内周方向における下側回りに流れる下回り気流とに分けられる。そして、上回り気流は突出吹出部２３で下向き気流になる一方、下回り気流は突出吹出部２３で上向き気流になり、これら下向き気流と上向き気流とは、吹出口２２及びその付近で衝突しつつ合流し、吹出口２２から外部に吹き出される。このとき、下向き気流の風量と上向き気流の風量とは同じ程度になるので、これら両気流を生成する調和空気は、吹出口２２から上下方向における中央に向けて吹き出される。こうして、吹出口２２から吹き出される風の向きを上下方向の中央に向けることができる。
【００７１】
また、送風装置５の吹出口２２から吹き出される風の向きを上下方向における中央向きに対して若干上方に向けたい場合には、操作ノブ７９を上下方向におけるスライド可能幅の中央位置から若干上側の位置にスライドさせることにより、図９（ａ）に示すように、流路規制体１９を外筒体１５の突出吹出部２３内で上寄りの位置に配置させる。
【００７２】
そうすると、流路規制体１９の上側規制壁６７が外筒体１５の突出吹出部２３のうち上側傾斜壁３１に接近し、これら上側規制壁６７と上側傾斜壁３１との間の下向き気流の流路２４ａの流路面積が狭められて閉塞気味になると共に、流路規制体１９の下側規制壁６９が外筒体１５の突出吹出部２３のうち下側傾斜壁３３から離間してこれら下側規制壁６９と下側傾斜壁３３との間の上向き気流の流路２４ｂの流路面積が相対的に広くなる。この場合にも、外筒体１５の収容空間２１ｓに流入した調和空気は、上回り気流と下回り気流とに分けられ、突出吹出部２３で下向き気流と上向き気流となり、吹出口２２及びその付近で衝突しつつ合流し、吹出口２２から外部に吹き出される。そして、この場合、上向き気流の風量が下向き気流の風量よりも大きくなるので、これら両気流を生成する調和空気は、上向き気流に押されて吹出口２２から上向き加減で吹き出される。こうして、吹出口２２から吹き出される風の向きを若干上方に向けることができる。
【００７３】
また、送風装置５の吹出口２２から吹き出される風の向きを上下方向における中央向きに対して若干下方に向けたい場合には、操作ノブ７９を上下方向におけるスライド可能幅の中央位置から若干下側の位置にスライドさせることにより、図９（ｂ）に示すように、流路規制体１９を外筒体１５の突出吹出部２３内で下寄りの位置に配置させる。
【００７４】
そうすると、流路規制体１９の下側規制壁６９が外筒体１５の突出吹出部２３のうち下側傾斜壁３３に接近し、これら下側規制壁６９と下側傾斜壁３３との間の上向き気流の流路２４ｂの流路面積が狭められて閉塞気味になると共に、流路規制体１９の上側規制壁６７が外筒体１５の突出吹出部２３のうち上側傾斜壁３１から離間してこれら上側規制壁６７と上側傾斜壁３１との間の下向き気流の流路２４ａの流路面積が相対的に広くなる。この場合にも、外筒体１５の収容空間に流入した調和空気は、上回り気流と下回り気流とに分けられ、突出吹出部２３で下向き気流と上向き気流となり、吹出口２２及びその付近で衝突しつつ合流し、吹出口２２から外部に吹き出される。そして、この場合、下向き気流の風量が上向き気流の風量よりも大きくなるので、これら両気流を生成する調和空気は、下向き気流に押されて吹出口２２から下向き加減で吹き出される。こうして、吹出口２２から吹き出される風の向きを若干下方に向けることができる。
【００７５】
以上の如く、送風装置５は、操作ノブ７９で内筒体１３をスライド移動させることにより、左向き気流の風量と右向き気流の風量との比率を変動させて、吹出口２２から吹き出る風の向きを左右方向で変えることができ、且つ、操作ノブ７９で流路規制体１９による外筒体１５の突出吹出部２３内の筒間流路１７での仕切り位置を変えることにより、上向き気流の風量と下向き気流の風量との比率を変動させて、吹出口２２から吹き出る風の向きを上下方向で変えることができる。また、これら上下方向と左右方向との風向き制御の組合せによれば、吹出口２２から吹き出る風の向きを上下方向と左右方向との中間方向、つまり、左上方向、右上方向、左下方向及び右下方向にも変えることができる。
【００７６】
−実施形態の効果−
この実施形態によると、調和空気を吹き出す吹出口２２に風向きを制御するためのフィンを持たずに、簡単な構造で吹出口２２から吹き出る風の向きを効率良く上下左右で調節することができる。これにより、吹出口２２が目立たなく見た目にシンプルな送風装置５を実現でき、この送風装置５を組み込んだインストルメントパネル１０１の意匠性を向上させることができる。しかも、空気吹出部１１及び下流側ダクト９は、車両前後方向に設置スペースを大きく必要としないので、設置箇所の自由度が高くなり、従来は設置の難しかった助手席の正面におけるインストルメントパネル１０１の裏側にも設置することができる。
【００７７】
また、この実施形態によると、流路規制体１９のうち上側規制壁６７をこれに対向する上側傾斜壁３１の内面３１ａと、下側規制壁６９をこれに対向する下側傾斜壁３３の内面３３ａとそれぞれ平行な姿勢にしたから、これら両規制壁６７，６９と傾斜壁３１，３３との間の流路２４ａ，２４ｂを通る下向き気流の風量と上向き気流の風量との比率を流路規制体１９のスライド動作を以て調節し易く、上下方向での風向きの微調整が可能になり、上下方向に風向きを定め易くすることができる。
【００７８】
また、流路規制体１９を上方へスライド移動させて上側傾斜壁３１に当接させた状態としたときに、その上側傾斜壁３１の内面３１ａと流路規制体１９の上側規制壁６７とが面接触で接触するので、下向き気流の流路２４ａを流路規制体１９で確実に塞ぐことができ、吹出口２２から吹き出る際の下向き気流の指向性を吹出口２２の正面側に変える上向き気流を無くすことができる。また、流路規制体１９を下方へスライド移動させて下側傾斜壁３３に当接させた状態としたときに、その下側傾斜壁３３の内面３３ａと流路規制体１９の下側規制壁６９とが面接触で接触するので、上向き気流の流路２４ｂを流路規制体１９で確実に塞ぐことができ、吹出口２２から吹き出る際の上向き気流の指向性を吹出口２２の正面側に変える下向き気流を無くすことができる。これによって、吹出口２２からの上下方向における風向きの調節範囲を広げることができる。
【００７９】
なお、上記実施形態では、外筒体１５について上側分割体１６Ａと下側分割体１６Ｂとがネジ留めされているとしたが、これら両分割体１６Ａ，１６Ｂのうち一方の分割体に係止孔を有する係合片が複数設けられ、他方の分割体にこの係合片の係止孔に嵌まって係合する係合爪が複数設けられ、各係合爪を対応する係合片の係止孔に引っ掛けて留めることで、上側分割体１６Ａと下側分割体１６Ｂとが一体に連結されていてもよい。
【００８０】
また、上記実施形態では、流路規制体１９のうち上側規制壁６７が上側傾斜壁３１の内面３１ａに平行な姿勢で対向し、下側規制壁６９が下側傾斜壁３３の内面３３ａに平行な姿勢で対向しているとしたが、これに限らず、上側規制壁６７は、上側傾斜壁３１の内面３１ａに対して傾斜した姿勢で対向していてもよく、下側規制壁６９も、下側傾斜壁３３の内面３３ａに対して傾斜した姿勢で対向していてもよい。
【００８１】
また、上記実施形態では、操作ノブ７９が、吹出口２２から送風口１０３を通して外部に突出している形態を例に挙げて説明したが、これに限らず、操作ノブ７９は、例えば、インストルメントパネル１０１のうち送風口１０３の上側部分又は左右方向における側方部分に形成された開口から車室内に突出させて設けられていてもよい。
【００８２】
また、上記実施形態では、操作ノブ７９を用いて手動で流路規制体１９を上下にスライドさせる構成を例に挙げて説明したが、これに限らず、操作ノブ７９に代えてモータの動力を利用し、操作パネルに設けられた風向入力部からの入力信号に応じて流路規制体１９を自動で上下にスライドさせる構成を採用していてもよい。このことは、内筒体１３を左右にスライドさせる構成についても同じである。
【００８３】
また、上記実施形態では、空気吹出部１１を外筒体１５の内部に内筒体１３を収容した二重筒構造とし、内筒体１３の左右へのスライド動作を以て吹出口２２から吹き出る風の向きが左右方向で変えられる構成を例に挙げて説明したが、これに限らず、空気吹出部１１は、内筒体１３を備えず外筒体１５だけの単一筒構造を有し、吹出口２２から吹き出る風の向きを上下方向のみで変えられる構成であってもよい。
【００８４】
また、上記実施形態では、空気吹出部１１は、助手席の前側でグローブボックスの上方位置に設置されるとしたが、これに限らず、当該空気吹出部１１は、上述の通り設置スペースを大きく必要としないので、ドアトリムなどのその他の箇所に設置することも可能である。
【００８５】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【産業上の利用可能性】
【００８６】
以上説明したように、本発明は、風向きを調節可能な送風装置について有用であり、特に、空気の吹出口に風向きを制御するフィンを持たずに、簡単な構造で風向きを効率良く制御し、インストルメントパネルの意匠性を向上させることが要望される送風装置に適している。
【符号の説明】
【００８７】
５        送風装置
１５      外筒体（吹出筒体）
１５ａ    周壁
１５ｓ    内部空間
１９      流路規制体
２１ｓ    収容空間
２２      吹出口
２３      突出吹出部
２４ａ    下向き気流（第１の気流）の流路
２４ｂ    上向き気流（第２の気流）の流路
２５      流入口
２７      開口壁
２９      閉塞壁
３１      上側傾斜壁（対向壁）
３１ａ    上側傾斜壁の内面
３３      下側傾斜壁（対向壁）
３３ａ    下側傾斜壁の内面
６７      上側規制壁
６９      下側規制壁
７９      操作ノブ（スライド操作手段）
【図１】
2016007886.tif 000003
【図２】
2016007886.tif 000004
【図３】
2016007886.tif 000005
【図４】
2016007886.tif 000006
【図５】
2016007886.tif 000007
【図６】
2016007886.tif 000008
【図７】
2016007886.tif 000009
【図８】
2016007886.tif 000010
【図９】
2016007886.tif 000011